(57)【要約】【課題】  納骨部内に収容されている遺骨から発生する異臭を少なくすることができる納骨用仏壇を提供する。【解決手段】  遺骨を収容可能な納骨部２を有し建物内に配設された納骨用仏壇１において、納骨部２内に空気を供給する給気用配管１０と、納骨部２内の空気を排気する排気用配管と、排気用配管を通して納骨部２内の空気を建物の外部に排出する送風手段とを備えていること。さらに、給気用配管１０に納骨部２内に開口している複数の給気孔１１が形成され、排気用配管に納骨部２内に開口している複数の排気孔が形成されていること。【選択図】        図２
2005312521.tif 000002
【特許請求の範囲】
【請求項１】
遺骨を収容可能な納骨部を有し建物内に配設された納骨用仏壇において、
前記納骨部内に空気を供給する給気用配管と、前記納骨部内の空気を排気する排気用配管と、前記排気用配管を通して前記納骨部内の空気を前記建物の外部に排出する送風手段とを備えていることを特徴とする納骨用仏壇。
【請求項２】
請求項１に記載した納骨用仏壇であって、
前記給気用配管に前記納骨部内に開口している複数の給気孔が形成され、前記排気用配管に前記納骨部内に開口している複数の排気孔が形成されていることを特徴とする納骨用仏壇。
【請求項３】
請求項２に記載した納骨用仏壇であって、
前記給気孔が前記納骨部の一方の側壁側に配置され、前記排気孔が前記納骨部の他方の側壁側に配置され、前記給気孔と前記排気孔が互いに対向していることを特徴とする納骨用仏壇。
【請求項４】
請求項１から３までのいずれかに記載した納骨用仏壇であって、
前記排気用配管の排気口が前記建物の外部にて形成され、
前記送風手段が前記排気口に取り付けられたクロスフロー形風車であり、このクロスフロー形風車の各羽根の回転中心部に前記排気口が連通していることを特徴とする納骨用仏壇。
【請求項５】
請求項１から４までのいずれかに記載した納骨用仏壇であって、
前記納骨部内に消臭手段が配設されていることを特徴とする納骨用仏壇。
【請求項６】
請求項１から５までのいずれかに記載した納骨用仏壇であって、
前記納骨部内に抗菌手段が配設されていることを特徴とする納骨用仏壇。
【発明の詳細な説明】
【技術分野】
【０００１】
本発明は、建物内に設置された納骨用仏壇に関するものであり、特に、納骨部内に収容された遺骨の異臭を少なくすることができる納骨用仏壇に関するものである。
【背景技術】
【０００２】
従来、大都市において墓地不足を解消するために、高層建築物等の建物内に多数の納骨用仏壇を収容した都市型墓地が建設されている。この納骨用仏壇においては、通常、納骨部のうえに仏壇部が設けられている（例えば特許文献１）。
【特許文献１】特開２００３−７９５０８
【発明の開示】
【発明が解決しようとする課題】
【０００３】
しかし、上述の従来の都市型墓地における納骨部内に収容された遺骨が湿気を吸収すると異臭を放つようになる。このため、納骨用仏壇が設けられた建物内に前記異臭が充満し、墓参に来た人に不快な思いをさせるおそれがあった。
本発明はこのような点に鑑みてなされたものであり、その課題は、納骨部内に収容されている遺骨から発生する異臭を少なくすることができる納骨用仏壇を提供することである。
【課題を解決するための手段】
【０００４】
上記課題を解決するため、請求項１記載の発明は、遺骨を収容可能な納骨部を有し建物内に配設された納骨用仏壇において、前記納骨部内に空気を供給する給気用配管と、前記納骨部内の空気を排気する排気用配管と、前記排気用配管を通して前記納骨部内の空気を前記建物の外部に排出する送風手段とを備えていることを特徴とする納骨用仏壇である。
これにより、送風手段が前記排気用配管を通して前記納骨部内の空気を前記建物の外部に排出すると、納骨部内に収容された遺骨が発する臭気が空気と一緒に前記建物の外部に排出されるとともに、前記給気用配管を通して空気が前記納骨部内に供給されるので、前記納骨部内の遺骨による臭気を少なくすることができる。
【０００５】
さらに、請求項２記載の発明は、請求項１記載の発明において、前記給気用配管に前記納骨部内に開口している複数の給気孔が形成され、前記排気用配管に前記納骨部内に開口している複数の排気孔が形成されていることである。
これにより、給気用配管に形成された複数の給気孔から空気が納骨部内に供給され、排気用配管に形成された複数の排気孔から前記納骨部内の空気が排気されるので、納骨部内の空気の換気が容易になる。
【０００６】
さらに、請求項３記載の発明は、請求項２に記載した発明において、前記給気孔が前記納骨部の一方の側壁側に配置され、前記排気孔が前記納骨部の他方の側壁側に配置され、前記給気孔と前記排気孔が互いに対向していることである。
これにより、互いに対向する給気孔と排気孔が納骨部の側壁の離れた個所に形成されているので、前記納骨部内の空気を効率よく換気することができる。
【０００７】
さらに、請求項４記載の発明は、請求項１から３までのいずれかに記載した発明において、前記排気用配管の排気口が前記建物の外部にて形成され、前記送風手段が前記排気口に取り付けられたクロスフロー形風車であり、このクロスフロー形風車の各羽根の回転中心部に前記排気口が連通していることである。なお、クロスフロー形風車は、例えば上下の板間に円周状に取り付けた細長い板状の羽根群が風により回転するものである。
これにより、前記クロスフロー形風車の羽根群が風により回転すると、排気用配管内の空気が排気用配管の排気口より前記クロスフロー形風車の羽根群の間を通って羽根群の外側に排気される。
【０００８】
さらに、請求項５記載の発明は、請求項１から４までのいずれかに記載した発明において、前記納骨部内に消臭手段が配設されていることである。
これにより、納骨部内に配設された消臭手段が納骨部内の遺骨から発生する異臭を少なくすることができる。
【０００９】
さらに、請求項６記載の発明は、請求項１から５までのいずれかに記載した発明において、前記納骨部内に抗菌手段（殺菌手段を含む。）が配設されていることである。
これにより、納骨部内に配設された抗菌手段が納骨部内の細菌の繁殖を抑制することができる。
【発明の効果】
【００１０】
請求項１記載の発明によれば、納骨用仏壇の納骨部の異臭を少なくし、前記納骨用仏壇に墓参する人が不快な思いをすることを防ぐことができる。
さらに、請求項２記載の発明によれば、請求項１記載の発明の効果とともに、納骨部内の空気を容易に換気することができる。
さらに、請求項３記載の発明によれば、請求項２記載の発明の効果とともに、納骨部内の空気を効率よく換気することができる。
さらに、請求項４記載の発明によれば、請求項１から３までのいずれかに記載の発明の効果とともに、電力等を用いることなく自然の力で納骨部内の空気を換気することができる。
さらに、請求項５記載の発明によれば、請求項１から４までのいずれかに記載の発明の効果とともに、納骨用仏壇の納骨部内の異臭を一層少なくし、前記納骨用仏壇に墓参する人が不快な思いをすることを一層防ぐことができる。
さらに、請求項６記載の発明によれば、請求項１から５までのいずれかに記載の発明の効果とともに、納骨用仏壇の納骨部内を衛生的にすることができる。
【発明を実施するための最良の形態】
【００１１】
以下、本発明における最良の実施の形態を図面に基づいて説明する。
図１は本発明の実施の形態に係る納骨用仏壇の正面を示し、図２は図１のＡ−Ａ断面を示し、図３は図１のＢ−Ｂ断面を示し、図４は図２のＣ−Ｃ断面を示す。さらに、図５は図１の納骨用仏壇の納骨部における引出しの側面を示し、図６は前記納骨用仏壇の排気用配管の排気口に取り付けられた送風手段を示し、図７は図６のＤ−Ｄ断面を示す。
【００１２】
図１に示すように、納骨用仏壇１は、台座７の上に配置された納骨部２および納骨部２の上側に設けられた仏壇部３を備えている。図４に示すように、納骨部２は例えば仕切板２６で上下に仕切られた２段の引出し３０、４０の構造になっている。
図３に示すように、引出し３０は例えば４個の骨壷６を収容可能である。各骨壷６は遺骨を収容している。図５に示すように、引出し３０の両側の側壁３１には、多数の通気孔３２が形成されている。なお、図１、図３および図５に示すように、引出し３０の前板３３の周辺部には取っ手３４が形成され、図１および図５に示すように、前板３３の上部には引出し３０を納骨部２にロック可能な鍵３５が設けられている。さらに、図５に示すように側壁３１の後端部の下部には引出し３０の収容および引き出しを容易にする車輪３６が付設されている。引出し４０の構造は、引出し３０と同様である。
【００１３】
さらに、図１および図３に示すように、納骨用仏壇１に納骨部２内に空気を供給する給気用配管１０および納骨部２内の空気を排気する排気用配管２０が形成されている。図２に示すように、給気用配管１０に複数の横パイプ状の枝部１０ｂ、１０ｃ、１０ｄ、１０ｅが形成され、この各枝部１０ｂ、１０ｃ、１０ｄ、１０ｅに納骨部２内に開口している複数の給気孔１１が形成されている。また、図４に示すように、排気用配管２０に複数の枝部２０ｂ、２０ｃ、２０ｄ、２０ｅ（各枝部１０ｂ、１０ｃ、１０ｄ、１０ｅと同様のものである。）が形成され、この各枝部２０ｂ、２０ｃ、２０ｄ、２０ｅに納骨部２内に開口している複数の排気孔２１が形成されている。ここで、給気孔１１が納骨部２の一方の側壁２４側に配置され、排気孔２１が納骨部２の他方の側壁２５側に配置され、給気孔１１と排気孔２１が互いに対向している。
【００１４】
さらに、納骨用仏壇１は、排気用配管２０を通して納骨部２内の空気を納骨用仏壇１が収容された納骨堂としての建物４の外部に排出する図６の送風手段５を備えている。図６に示す建物４内に配設された納骨用仏壇１の排気用配管２０の排気口２２が建物４の外部にて形成されている。送風手段５となるクロスフロー形風車５０が排気口２２に取り付けられ、図７に示すように、このクロスフロー形風車５０の各羽根５１の回転中心部５２に排気口２２が連通している。なお、図６に示すように、クロスフロー形風車５０は、例えば細長い板状の羽根５１群を下板５４と屋根を兼ねた上板５５間に円周状に取り付けたものであり、クロスフロー形風車５０の縦軸５３は排気口２２内に付設された支持部２３に回動自在に保持されている。
【００１５】
なお、図１に示すように、給気用配管１０の上部の曲り部分は接続部品１０ａで構成され、排気用配管２０の上部の曲り部分は接続部品２０ａで構成されている。そして、複数の納骨用仏壇１が建物４（図６参照）内に配置され、この複数の納骨用仏壇１にて給気用配管１０を並列に接続し、排気用配管２０を並列に接続することができる。
【００１６】
また、図３に示すように、給気用配管１０は四角形のパイプ状であり、納骨用仏壇１の前側の支柱を兼ねており、給気用配管１０の後側の支柱１０ｘも四角形のパイプ状である。このため、支柱１０ｘも給気用配管１０として利用することができる。同様に、排気用配管２０は四角形のパイプ状であり、納骨用仏壇１の前側の支柱を兼ねており、排気用配管２０の後側の支柱２０ｘも四角形のパイプ状である。このため、支柱２０ｘも排気用配管２０として利用することができる。
【００１７】
仏壇部３の正面には、観音開きの扉６１が配設され、扉６１の内側には、仏壇６２および位牌６３が配置されている。
【００１８】
以上の構成の納骨用仏壇１は、以下のように動作する。
送風手段５が排気用配管２０を通して納骨部２内の空気を建物４の外部に排出すると、納骨部２内に収容された遺骨が発する臭気が空気と一緒に建物４の外部に排出されるとともに、給気用配管１０を通して空気が納骨部２内に供給されるので、納骨部２内の遺骨による臭気を少なくすることができる。
さらに、給気用配管１０に形成された複数の給気孔１１から空気が納骨部２内に供給され、矢印７１（図４参照）の方向に流れて排気用配管２０に形成された複数の排気孔２１から納骨部２内の空気が排気されるので、納骨部２内の空気の換気が容易になる。さらに、互いに対向する給気孔１１と排気孔２１が納骨部２の側壁２４、２５の離れた個所に形成されているので、納骨部２内の空気を効率よく換気することができる。なお、引出し３０の側壁３１の通気孔３２は、納骨部２内の換気を容易にしている。このことは、引出し４０においても同様である。
さらに、クロスフロー形風車５０の羽根５１群が風により回転すると、排気用配管２０内の空気が排気用配管２０の排気口２２よりクロスフロー形風車５０の羽根５１の間を通って羽根５１の外側に排気される。
【００１９】
なお、上記の実施の形態において、クロスフロー形風車５０の代わりに図示しない送風機を使用することもできる。
また、図４に示すように、納骨部２の引出し３０、４０に消臭手段となる消臭剤８１（例えば、炭）および抗菌手段となる抗菌剤８２（例えば、光触媒用物質）を配置することができる。さらに、図５に示すように、引出し３０の前板３３の内側に抗菌手段となる紫外線放射用ライト８３を付設することもできる。図４の引出し４０にも同様に紫外線放射用ライト８３を付設することができる。なお、紫外線放射用ライト８３は図示しない配線により図示しない電源に接続可能である。消臭剤８１、抗菌剤８２および紫外線放射用ライト８３の数は任意でよい。消臭手段８１は納骨部２内の骨壷６内に収容された遺骨から発生する異臭を少なくすることができる。また、抗菌剤８２および紫外線放射用ライト８３が納骨部２内の細菌の繁殖を抑制することができる。また、消臭剤８１、抗菌剤８２および紫外線放射用ライト８３は物質にやさしく反復使用可能であり、永く使用することができる。また、消臭剤８１、抗菌剤８２および紫外線放射用ライト８３の配置個所は上記個所に限らず納骨部２内であればよい。
【００２０】
このため、納骨用仏壇１および納骨用仏壇１が収容された納骨堂としての建物４全体の環境衛生を管理する環境衛生システムを構築することができる。この環境衛生システムは、建物４内部の全般の臭気、雑菌等を減少させ、衛生的な環境を保持し、遺族および建物４の管理者の健康を保持することができる。
そして、消臭、抗菌、乾燥システムを導入し、カビを始めとする細菌を減菌し、安全な空気を自然界で日常的に繰り返し起こる空気の自然現象、すなわち、地球上で温められた空気が上昇気流となり上空に吸い上げられ、上空で冷やされた空気が地上に向かい下降する自然現象のサイクル活動を有効に活用し、排気用配管２０内にて上昇する空気によりクロスフロー形風車５０の羽根５１を回転させ、納骨用仏壇１が配置された建物４内に配管されたダクト等の排気用配管２０内の空気を吸い上げ、建物４の外部へ除菌された空気を排出し、同時に外気を建物４内に導入することができる。
なお、納骨用仏壇１の納骨部２内の紫外線放射用ライト８３、クロスフロー形風車５０の補助換気モータその他蝋燭等については太陽光発電による電力を使用して、納骨用仏壇１を省エネ型のものにしてもよい。
また、引出し３０、４０が使用されているが、これに限定されず、引出しの代わりに１段または複数段の棚、１段または複数段に形成された納骨箱等を用いてもよい。
また、建物４内に収容される納骨用仏壇１の数は、１つでもよいし、複数でもよい。
さらに、給気用配管１０（枝部１０ｂ、１０ｃ、１０ｄ、１０ｅを含む。）および排気用配管２０（枝部２０ｂ、２０ｃ、２０ｄ、２０ｅを含む。）に空気の流量調整弁を設けて、給気用配管１０および排気用配管２０を流れる空気の流量が過大にならないようにしてもよい。
【図面の簡単な説明】
【００２１】
【図１】本発明の実施の形態に係る納骨用仏壇の正面図である。
【図２】図１のＡ−Ａ断面を示す断面図である。
【図３】図１のＢ−Ｂ断面を示す断面図である。
【図４】図２のＣ−Ｃ断面を示す断面図である。
【図５】図１の納骨用仏壇の納骨部における引出しの側面図である。
【図６】前記納骨用仏壇の排気用配管の排気口に取り付けられたクロスフロー形風車を示す部分図である。
【図７】図６のＤ−Ｄ断面を示す断面図である。
【符号の説明】
【００２２】
１  納骨用仏壇
２  納骨部
４  建物
５  送風手段
６  骨壷
１０  給気用配管
１１  給気孔
２０  排気用配管
２１  排気孔
２２  排気口
２４  一方の側壁
２５  他方の側壁
５０  クロスフロー形風車
５１  羽根
５２  回転中心部
８１  消臭剤（消臭手段）
８２  抗菌剤（抗菌手段）
８３  紫外線放射用ライト（抗菌手段）
【図１】
2005312521.tif 000003
【図２】
2005312521.tif 000004
【図３】
2005312521.tif 000005
【図４】
2005312521.tif 000006
【図５】
2005312521.tif 000007
【図６】
2005312521.tif 000008
【図７】
2005312521.tif 000009